(57)【特許請求の範囲】
【請求項１】
不平衡信号が入力される１または複数の入力ＩＤＴと、
前記入力ＩＤＴのいずれかに対して弾性波の伝搬方向において隣接し、平衡信号の一方を出力する第１出力ＩＤＴと、
前記入力ＩＤＴのいずれかに対して前記伝搬方向において隣接し、前記平衡信号の他方を出力する第２出力ＩＤＴと、
を有し、
各ＩＤＴは、前記不平衡信号が入力されまたは前記平衡信号を出力する複数の信号電極指と、接地された複数の接地電極指とを有し、
各ＩＤＴの前記伝搬方向の中央においては、前記信号電極指と前記接地電極指とが所定の交差幅で交差し、
前記入力ＩＤＴと前記第１出力ＩＤＴとの第１境界においては、前記入力ＩＤＴの信号電極指と前記第１出力ＩＤＴの信号電極指とが、所定数の接地電極指を挟んで、前記交差幅の範囲に亘って併設されており、
前記入力ＩＤＴと前記第２出力ＩＤＴとの第２境界においては、前記入力ＩＤＴおよび第２出力ＩＤＴの信号電極指が、前記交差幅の範囲の中央を越える当該範囲の中途位置まで延びる第１長さ電極指および第２長さ電極指とされており、前記第１長さ電極指と前記第２長さ電極指とが接地電極指を挟まずにまたは前記所定数よりも少ない本数の接地電極指を挟んで、前記交差幅の範囲の中央側の一部の範囲のみにおいて交差している
弾性波装置。
【請求項２】
前記入力ＩＤＴは、前記第２境界において、前記交差幅の範囲の中央よりも手前の当該範囲の中途位置まで延び、先端が前記第１長さ電極指の先端と対向する接地電極指である第３長さ電極指を有し、
前記第２出力ＩＤＴは、前記第２境界において、前記交差幅の範囲の中央よりも手前の当該範囲の中途位置まで延び、先端が前記第２長さ電極指の先端と対向する接地電極指である第４長さ電極指を有する
請求項１に記載の弾性波装置。
【請求項３】
前記第１長さ電極指および前記第２長さ電極指は前記交差幅の範囲内の長さが互いに同等であり、
前記第３長さ電極指および前記第４長さ電極指は前記交差幅の範囲内の長さが互いに同等である
請求項２に記載の弾性波装置。
【請求項４】
前記所定数は、前記第１長さ電極指および前記第２長さ電極指に挟まれる接地電極指の本数（０含む）よりも１多い数であり、
前記第１長さ電極指および前記第２長さ電極指の前記交差幅の範囲内の長さと、前記第３長さ電極指および前記第４長さ電極指の前記交差幅の範囲内の長さとの比が３：１である
請求項３に記載の弾性波装置。
【請求項５】
前記第１出力ＩＤＴおよび第２出力ＩＤＴは、信号電極指および接地電極指の配置位置の数が互いに等しく、
前記第１出力ＩＤＴは、前記入力ＩＤＴとは反対側において、
信号電極指であり、前記第２長さ電極指と前記交差幅の範囲内の長さが等しい第５長さ電極指と、
接地電極指であり、前記第４長さ電極指と前記交差幅の範囲内の長さが等しく、先端が前記第５長さ電極指の先端と対向する第６長さ電極指と
を有する
請求項２〜４のいずれか１項に記載の弾性波装置。
【請求項６】
前記第１出力ＩＤＴおよび前記第２出力ＩＤＴはそれぞれ１または複数設けられ、
前記入力ＩＤＴと前記第１出力ＩＤＴとの境界は複数あり、その全てにおいて、前記入力ＩＤＴの信号電極指と前記第１出力ＩＤＴの信号電極指とが、前記所定数の接地電極指を挟んで、前記交差幅の範囲に亘って併設されており、
前記入力ＩＤＴと前記第２出力ＩＤＴとの境界は複数あり、その全てにおいて、前記第１長さ電極指および前記第２長さ電極指とが、接地電極指を挟まずにまたは前記所定数よりも少ない本数の接地電極指を挟んで、前記交差幅の範囲の中央側の一部の範囲のみにおいて交差している
請求項１〜５のいずれか１項に記載の弾性波装置。
【発明の詳細な説明】
【技術分野】
【０００１】
本発明は、弾性表面波（ＳＡＷ：Surface Acoustic Wave）装置等の弾性波装置に関する。
【背景技術】
【０００２】
不平衡信号を平衡信号に変換する機能が付加された縦結合多重モード（二重モード含む）ＳＡＷフィルタを有するＳＡＷ装置が知られている（例えば特許文献１）。なお、不平衡信号は、基準電位（０Ｖに限定されない）に対する電位を信号レベルとする信号である。平衡信号は、２つの信号からなり、２つの信号の電位差を信号レベルとする信号である。
【０００３】
このようなＳＡＷ装置は、不平衡信号が入力される入力ＩＤＴ（InterDigital Transducer）と、平衡信号の一方を出力する第１出力ＩＤＴと、平衡信号の他方を出力する第２出力ＩＤＴとを有している。そして、入力ＩＤＴと第１出力ＩＤＴとの境界における電極指の位置関係と、入力ＩＤＴと第２出力ＩＤＴとの境界における電極指の位置関係とは非対称となっている。
【０００４】
上記の非対称な位置関係は、不平衡信号を平衡信号に変換するために必須のものである。しかし、この非対称性に起因して、第１出力ＩＤＴと第２出力ＩＤＴとの間においては、出力する信号の振幅および／または位相に差が生じる。すなわち、平衡信号の平衡度が低下する。
【０００５】
そこで、特許文献１の技術では、入力ＩＤＴおよび第２出力ＩＤＴの境界において、入力ＩＤＴの電極指を短くすることによって交差幅の重み付けをしている。これにより、入力ＩＤＴと第１出力ＩＤＴとの結合関係と、入力ＩＤＴと第２出力ＩＤＴとの結合関係との対称性を確保している。
【先行技術文献】
【特許文献】
【０００６】
【特許文献１】特開２００３−８７０８１号公報
【発明の概要】
【発明が解決しようとする課題】
【０００７】
しかし、特許文献１および２の技術では、交差幅の重み付けをした結果、入力ＩＤＴにおける信号の分布と第２出力ＩＤＴにおける信号の分布とが対称でなくなる。そして、この非対称性に起因して、２つの出力ＩＤＴから出力される平衡信号の平衡度が損なわれている。
【０００８】
本発明の目的は、不平衡信号から変換された平衡信号の平衡度を向上させることができる弾性波装置を提供することにある。
【課題を解決するための手段】
【０００９】
本発明の一実施態様の弾性波装置は、不平衡信号が入力される１または複数の入力ＩＤＴと、前記入力ＩＤＴのいずれかに対して弾性波の伝搬方向において隣接し、平衡信号の一方を出力する第１出力ＩＤＴと、前記入力ＩＤＴのいずれかに対して前記伝搬方向において隣接し、前記平衡信号の他方を出力する第２出力ＩＤＴと、を有し、各ＩＤＴは、前記不平衡信号が入力されまたは前記平衡信号を出力する複数の信号電極指と、接地された複数の接地電極指とを有し、各ＩＤＴの前記伝搬方向の中央においては、前記信号電極指と前記接地電極指とが所定の交差幅で交差し、前記入力ＩＤＴと前記第１出力ＩＤＴとの第１境界においては、前記入力ＩＤＴの信号電極指と前記第１出力ＩＤＴの信号電極指とが、所定数の接地電極指を挟んで、前記交差幅の範囲に亘って併設されており、前記入力ＩＤＴと前記第２出力ＩＤＴとの第２境界においては、前記入力ＩＤＴおよび第２出力ＩＤＴの信号電極指が、前記交差幅の範囲の中央を越える当該範囲の中途位置まで延びる第１長さ電極指および第２長さ電極指とされており、接地電極指を挟まずにまたは前記所定数よりも少ない本数の接地電極指を挟んで、前記交差幅の範囲の中央側の一部の範囲のみにおいて交差している。
【００１０】
好適には、前記入力ＩＤＴは、前記第２境界において、前記交差幅の範囲の中央よりも手前の当該範囲の中途位置まで延び、先端が前記第１長さ電極指の先端と対向する接地電極指である第３長さ電極指を有し、前記第２出力ＩＤＴは、前記第２境界において、前記交差幅の範囲の中央よりも手前の当該範囲の中途位置まで延び、先端が前記第２長さ電極指の先端と対向する接地電極指である第４長さ電極指を有する。
【００１１】
好適には、前記第１長さ電極指および前記第２長さ電極指は前記交差幅の範囲内の長さが互いに同等であり、前記第３長さ電極指および前記第４長さ電極指は前記交差幅の範囲内の長さが互いに同等である。
【００１２】
好適には、前記所定数は、前記第１長さ電極指および前記第２長さ電極指に挟まれる接地電極指の本数（０含む）よりも１多い数であり、前記第１長さ電極指および前記第２長さ電極指の前記交差幅の範囲内の長さと、前記第３長さ電極指および前記第４長さ電極指の前記交差幅の範囲内の長さとの比が３：１である。
【００１３】
好適には、前記第１出力ＩＤＴおよび第２出力ＩＤＴは、信号電極指および接地電極指の配置位置の数が互いに等しく、前記第１出力ＩＤＴは、前記入力ＩＤＴとは反対側において、信号電極指であり、前記第２長さ電極指と前記交差幅の範囲内の長さが等しい第５長さ電極指と、接地電極指であり、前記第４長さ電極指と前記交差幅の範囲内の長さが等しく、先端が前記第５長さ電極指の先端と対向する第６長さ電極指とを有する。
【００１４】
好適には、前記第１出力ＩＤＴおよび前記第２出力ＩＤＴはそれぞれ１または複数設けられ、前記入力ＩＤＴと前記第１出力ＩＤＴとの境界は複数あり、その全てにおいて、前記入力ＩＤＴの信号電極指と前記第１出力ＩＤＴの信号電極指とが、前記所定数の接地電極指を挟んで、前記交差幅の範囲に亘って併設されており、前記入力ＩＤＴと前記第２出力ＩＤＴとの境界は複数あり、その全てにおいて、前記第１長さ電極指および前記第２長さ電極指とが、接地電極指を挟まずにまたは前記所定数よりも少ない本数の接地電極指を挟んで、前記交差幅の範囲の中央側の一部の範囲のみにおいて交差している。
【発明の効果】
【００１５】
上記の構成によれば、入力ＩＤＴと第１出力ＩＤＴとの第１境界においては、入力ＩＤＴの信号電極指と第１出力ＩＤＴの信号電極指とが、所定数の接地電極指を挟んで、所定の交差幅の範囲に亘って併設されており、入力ＩＤＴと第２出力ＩＤＴとの第２境界においては、入力ＩＤＴおよび第２出力ＩＤＴの信号電極指が、前記交差幅の範囲の中央を越える当該範囲の中途位置まで延びる第１長さ電極指および第２長さ電極指とされており、第１長さ電極指と第２長さ電極指とが接地電極指を挟まずにまたは前記所定数よりも少ない本数の接地電極指を挟んで、前記交差幅の範囲の中央側の一部の範囲のみにおいて交差していることから、第１境界における結合と第２境界における結合との非対称性が緩和され、不平衡信号から変換された平衡信号の平衡度を向上させることができる。
【図面の簡単な説明】
【００１６】
【図１】本発明の第１の実施形態に係るＳＡＷ装置の構成を示す平面図である。
【図２】第１の比較例に係るＳＡＷ装置の構成および平衡度を説明する図である。
【図３】第２の比較例に係るＳＡＷ装置の構成および平衡度を説明する図である。
【図４】図１のＳＡＷ装置の平衡度を説明する図である。
【図５】本発明の第２の実施形態に係るＳＡＷ装置の構成を示す平面図である。
【図６】本発明の第３の実施形態に係るＳＡＷ装置の構成を示す平面図である。
【発明を実施するための形態】
【００１７】
以下、本発明の実施形態に係るＳＡＷ装置について、図面を参照して説明する。なお、以下の説明で用いられる図は模式的なものであり、図面上の寸法比率等は現実のものとは必ずしも一致していない。
【００１８】
また、説明の対象となる比較例や実施形態において、既に説明された実施形態または比較例の構成と同一または類似する構成については、既に説明された実施形態または比較例の構成と同一の符号を付すことがあり、また、説明を省略することがある。
【００１９】
符号は、同一または類似する構成のものについて、「出力端子９Ａ、出力端子９Ｂ」などのように、同一の数字の符号と、互いに異なる大文字のアルファベットの付加符号とが組み合わされたものが使用されることがあり、また、付加符号が省略されることがあるものとする。
【００２０】
＜第１の実施形態＞
図１は、本発明の第１の実施形態に係るＳＡＷ装置１を示す平面図である。
【００２１】
ＳＡＷ装置１は、不平衡信号が入力され、その入力された不平衡信号をフィルタリングし、平衡信号を出力するフィルタ装置として構成されている。その入力から出力までの過程において、ＳＡＷ装置１は、電気信号のＳＡＷへの変換、および、ＳＡＷの電気信号への変換も行う。
【００２２】
ＳＡＷ装置１は、ＳＡＷが伝搬する基板３を有している。また、ＳＡＷ装置１は、基板３の主面３ａ上において、不平衡信号が入力される入力端子５と、入力された信号をフィルタリングするＳＡＷ素子７と、フィルタリングされた平衡信号を出力する２つの出力端子９とを有している。
【００２３】
基板３は、圧電効果を示す圧電体によって構成された、いわゆる圧電基板である。圧電体は、例えばＬｉＮｂＯ３やＬｉＴａＯ３である。なお、基板３の平面形状は適宜に設定されてよい。
【００２４】
ＳＡＷは、ＳＡＷ素子７に励起されて主面３ａを矢印で示す伝搬方向Ｄ１において伝搬する。なお、以下では、主面３ａに沿う方向であって伝搬方向Ｄ１に直交する方向を直交方向Ｄ２ということがある。
【００２５】
ＳＡＷ素子７は、縦結合ダブルモード型の共振子ＳＡＷフィルタによって構成されている。具体的には、ＳＡＷ素子７は、伝搬方向Ｄ１に配列された複数のＩＤＴ１１と、当該複数のＩＤＴ１１の列の両端に配置された反射器１３とを有している。ＩＤＴ１１の数は、本実施形態では３個である。
【００２６】
各ＩＤＴ１１は、１対の櫛歯電極１５を有している。櫛歯電極１５は、伝搬方向Ｄ１に延びるバスバー１７と、バスバー１７から直交方向Ｄ２に延びる複数の電極指１９とを有している。
【００２７】
１対の櫛歯電極１５は、互いのバスバー１７が直交方向Ｄ２において対向し、複数の電極指１９が互いに噛み合うように配置されている。大多数（各ＩＤＴ１１の中央側の一部）の電極指１９に関しては、隣り合う電極指１９同士の交差幅ｄ１は、各ＩＤＴ１１内において、また、複数のＩＤＴ１１間において、概ね一定である。交差幅ｄ１の範囲（交差範囲Ｒ１）は、例えば、バスバー１７間の中央に位置している。
【００２８】
複数の電極指１９のピッチ（異なるＩＤＴ１１間のピッチを含む）は、通過帯域の周波数等に応じて適宜に設定されている。例えば、大多数の電極指１９のピッチは、通過帯域の周波数のＳＡＷの半波長程度とされ、ＩＤＴ１１間およびその周辺のピッチは、これよりも狭く（例えば半分程度）される。なお、図１は模式図であることから、一定のピッチで電極指１９を示している。
【００２９】
電極指１９の数（配置位置の数）も、要求されるフィルタ特性等に応じて適宜に設定されている。なお、図１は模式図であることから、実際よりも少ない数で電極指１９を示している。ＩＤＴ１１Ａと１１Ｃとは、出力される平衡信号の平衡度を向上させる観点から、電極指１９の配置位置の数が同数であることが好ましい。
【００３０】
以下では、個々の電極指１９を、その配置される位置Ａ１〜Ａ８、Ｂ１〜Ｂ９およびＣ１〜Ｃ８を参照して特定することがあるものとする。また、交差範囲Ｒ１を４分割したときの境界線である線Ｌ１〜Ｌ５を参照して、直交方向Ｄ２の範囲もしくは位置を特定することがあるものとする。
【００３１】
各ＩＤＴ１１において、互いに対向する櫛歯電極１５の一方は、信号が入力され、または、信号を出力するものであり（入力端子５または出力端子９に接続されるものであり）、互いに対向する櫛歯電極１５の他方は基準電位（グランド）に接続されている。
【００３２】
以下では、信号が入力され、または、信号を出力する櫛歯電極、バスバーおよび電極指の符号には、Ｓの付加符号を付すことがあり、また、「信号櫛歯電極」と呼ぶなど、「信号」の文字を名称の頭に付すことがあるものとする。また、基準電位に接続された櫛歯電極、バスバーおよび電極指の符号には、Ｇの付加符号を付すことがあり、また、「接地櫛歯電極」と呼ぶなど、「接地」の文字を名称の頭に付すことがあるものとする。
【００３３】
複数のＩＤＴ１１のうち、中央に配置されたＩＤＴ１１Ｂの信号櫛歯電極１５Ｓは入力端子５に接続されている。また、ＩＤＴ１１Ｂの両側に配置されたＩＤＴ１１Ａおよび１１Ｂの信号櫛歯電極１５Ｓは、出力端子９Ａおよび９Ｂに接続されている。
【００３４】
入力端子５からの不平衡信号ｓ０がＩＤＴ１１Ｂにより基板３に印加されると、不平衡信号ｓ１がＳＡＷに変換され、伝搬方向Ｄ１において伝搬する。伝搬したＳＡＷはＩＤＴ１１Ａおよび１１Ｃにより電気信号として取り出され、出力端子９へ出力される。この過程において、複数の電極指１９のピッチを概ね半波長とする信号が抽出されることによって、フィルタリングが行われる。
【００３５】
複数の電極指１９のピッチは、信号の概ね半波長であるから、隣接する電極指１９同士は、位相が互いに１８０°異なる（逆相）信号に対応することになる。なお、図１では、互いに同一の位相に対応する電極指同士をハッチングの有無により示している。
【００３６】
ここで、ＩＤＴ１１ＢとＩＤＴ１１Ａとの境界ＢＤ１においては、ＩＤＴ１１Ｂの信号電極指１９Ｓ（Ｂ１）と、ＩＤＴ１１Ａの信号電極指１９Ｓ（Ａ７）とが１本（奇数本）の接地電極指１９Ｇ（Ａ８）を挟んで交差している。従って、ＩＤＴ１１Ａの信号櫛歯電極１５Ｓは、ＩＤＴ１１Ｂの信号櫛歯電極１５Ｓに入力された信号ｓ０と同位相の信号ｓ１を出力する。
【００３７】
一方、ＩＤＴ１１ＡとＩＤＴ１１Ｃとの境界ＢＤ２においては、ＩＤＴ１１Ｂの信号電極指１９Ｓ（Ｂ９）と、ＩＤＴ１１Ｃの信号電極指１９Ｓ（Ｃ１）とが０本（偶数本）の接地電極指１９Ｇを挟んで交差している。従って、ＩＤＴ１１Ｃの信号櫛歯電極１５Ｓは、ＩＤＴ１１Ｂの信号櫛歯電極１５Ｓに入力された信号ｓ０の位相を反転した（位相が１８０°異なる）信号ｓ２を出力する。
【００３８】
このように、ＳＡＷ素子７は、境界ＢＤ１と境界ＢＤ２とで信号電極指１９Ｓに挟まれる接地電極指１９Ｇの本数を異ならせることにより、ＩＤＴ１１Ｂに入力された信号ｓ０を、信号ｓ１および信号ｓ２からなる平衡信号に変換して出力する。
【００３９】
しかし、境界ＢＤ１と境界ＢＤ２とで接地電極指１９Ｇの本数が異なることにより、平衡度が低下する。すなわち、接地電極指１９Ｇの本数が相対的に少ない境界ＢＤ２においては、接地電極指１９Ｇの本数が相対的に多い境界ＢＤ１に比較してＩＤＴ間の結合が強くなり、その結果、平衡度が低下する。そこで、本実施形態のＳＡＷ素子７は、以下のように構成されている。
【００４０】
境界ＢＤ１において、ＩＤＴ１１Ｂの信号電極指１９Ｓ（Ｂ１）、および、ＩＤＴ１１Ａの信号電極指１９Ｓ（Ａ７）は、他の大多数の電極指１９と同様に、交差幅ｄ１の交差範囲Ｒ１に亘って延びている。そして、交差範囲Ｒ１に亘って交差している。
【００４１】
一方、境界ＢＤ２において、ＩＤＴ１１Ｂの信号電極指１９Ｓ（Ｂ９）は、交差幅ｄ１の交差範囲Ｒ１の中央（Ｌ３）を越える、交差範囲Ｒ１の中途位置（Ｌ４）まで延びている。同様に、ＩＤＴ１１Ｃの信号電極指１９Ｓ（Ｃ１）は、交差幅ｄ１の交差範囲Ｒ１の中央（Ｌ３）を越える、交差範囲Ｒ１の中途位置（Ｌ２）まで延びている。そして、これら位置Ｂ９および位置Ｃ１の信号電極指１９Ｓは、交差範囲Ｒ１の中央側の一部の領域Ｒ２のみにおいて交差している。
【００４２】
位置Ｂ９および位置Ｃ１の信号電極指１９Ｓの長さは、例えば、互いに同等である。従って、直交方向Ｄ２において、領域Ｒ２は、交差範囲Ｒ１のちょうど中央に位置する。また、これらの信号電極指１９Ｓの交差幅は、例えば、交差幅ｄ１の概ね１／２（交差幅ｄ２）である。
【００４３】
ＩＤＴ１１Ｃの接地櫛歯電極１５Ｇは、位置Ｃ１において、交差範囲Ｒ１の中央（Ｌ３）よりも手前の、交差範囲Ｒ１の中途位置（Ｌ２）まで延び、先端が位置Ｃ１の信号電極指１９Ｓの先端と対向する接地電極指１９Ｇを有している。従って、領域Ｒ３において、ＩＤＴ１１Ｂの位置Ｂ９の信号電極指１９Ｓは、２本の接地電極指１９Ｇ（Ｃ１、Ｃ２）を挟んで、ＩＤＴ１１Ｃの信号電極指１９Ｓ（Ｃ３）と交差している。領域Ｒ３における交差幅は、例えば、交差幅ｄ１の概ね１／４（交差幅ｄ３）である。
【００４４】
同様に、ＩＤＴ１１Ｂの接地櫛歯電極１５Ｇは、位置Ｂ９において、交差範囲Ｒ１の中央（Ｌ３）よりも手前の、交差範囲Ｒ１の中途位置（Ｌ４）まで延び、先端が位置Ｂ９の信号電極指１９Ｓの先端と対向する接地電極指１９Ｇを有している。従って、領域Ｒ４において、ＩＤＴ１１Ｃの位置Ｃ１の信号電極指１９Ｓは、２本の接地電極指１９Ｇ（Ｂ９、Ｂ８）を挟んで、ＩＤＴ１１Ｂの信号電極指１９Ｓ（Ｂ７）と交差している。この領域Ｒ４における交差幅は、例えば、交差幅ｄ１の概ね１／４（交差幅ｄ４）であり、領域Ｒ３における交差幅ｄ３と等しい。
【００４５】
従って、ＩＤＴ１１ＢとＩＤＴ１１Ａとの間においては、１本の接地電極指１９Ｇを挟んだ２本の信号電極指１９Ｓの結合が交差幅ｄ１で行われているのに対し、ＩＤＴ１１ＢとＩＤＴ１１Ｃとの間においては、接地電極指１９Ｇを挟まない２つの信号電極指１９Ｓの結合が交差幅ｄ１の半分程度（交差幅ｄ２）で行われるとともに、２本の接地電極指１９Ｇを挟む２つの信号電極指１９Ｓの結合が交差幅ｄ１の半分程度（交差幅ｄ３＋ｄ４）で行われる。
【００４６】
なお、厳密には、位置Ｂ９または位置Ｃ１においては、信号電極指１９Ｓの先端と接地電極指１９Ｇの先端との隙間が交差幅ｄ１内に設けられるから、領域Ｒ２における交差幅は交差幅ｄ１の半分よりも若干小さく、領域Ｒ３またはＲ４における交差幅は交差幅ｄ１の１／４よりも若干小さい。ただし、本実施形態においては、当該隙間による誤差は無視して、交差幅もしくは電極指の長さを説明するものとする。他の位置（後述する位置Ａ１等）についても同様である。なお、当該隙間は、例えば、通過帯域の周波数のＳＡＷの半波長程度である。
【００４７】
ＩＤＴ１１Ａの信号櫛歯電極１５Ｓは、ＩＤＴ１１Ｂとは反対側の最外電極指位置（Ａ１）において、位置Ｃ１の信号電極指１９Ｓと交差範囲Ｒ１内の長さが等しい信号電極指１９Ｓを有している。また、ＩＤＴ１１Ａの接地櫛歯電極１５Ｇは、この最外電極指位置である位置Ａ１に、位置Ｃ１の接地電極指１９Ｇと交差範囲Ｒ１内の長さが等しく、先端が位置Ａ１の信号電極指１９Ｓの先端と対向する接地電極指１９Ｇを有する。従って、ＩＤＴ１１Ａは、ＩＤＴ１１Ｃと同一の構成となっている。
【００４８】
以上の構成を有するＳＡＷ装置１の作用を説明する。
【００４９】
図２は、第１の比較例に係るＳＡＷ装置９０１の構成および平衡度を説明する図である。具体的には、図２の上段はＳＡＷ装置９０１の平面図であり、下段は、上段の電極指位置における通過帯域高周波側における振幅を示すグラフである。なお、下段のグラフは、本実施形態の作用を説明するための概念的なものであり、実際の振幅のグラフとは相違する。
【００５０】
ＳＡＷ装置９０１は、ＩＤＴ９１１の構成が実施形態と相違する。具体的には、ＩＤＴ９１１ＢとＩＤＴ９１１Ｃの境界ＢＤ２において、ＩＤＴ９１１Ｂの信号電極指１９Ｓ（Ｂ９）とＩＤＴ９１１Ｃの信号電極指１９Ｓ（Ｃ１）とは、接地電極指１９Ｇを挟まずに、交差幅ｄ１で交差している。また、ＩＤＴ９１１ＡのＩＤＴ９１１Ｂとは反対側の最外電極指位置（Ａ１）においては、信号電極指１９Ｓが交差範囲Ｒ１に亘って延びている。
【００５１】
境界ＢＤ１においては、信号電極指１９Ｓ間に１本の接地電極指１９Ｇが挟まれ、境界ＢＤ２においては、信号電極指１９Ｓ間に０本の接地電極指１９Ｇが挟まれている。すなわち、境界ＢＤ２においては、境界ＢＤ１に比較して、信号電極指１９Ｓ間に挟まれる接地電極指１９Ｇが少ない。
【００５２】
従って、下段のグラフに示すように、ＩＤＴ９１１Ｃの境界ＢＤ２の信号電極指１９Ｓ（Ｃ１）における振幅は、ＩＤＴ９１１Ａの境界ＢＤ１の信号電極指１９Ｓ（Ａ７）における振幅よりも大きい。位置Ｃ３および位置Ａ５等についても同様である。そして、上記の振幅の相違の結果、出力端子９Ａおよび９Ｂに出力される平衡信号の平衡度が低下する。
【００５３】
図３は、第２の比較例に係るＳＡＷ装置８０１の構成および平衡度を説明する、図２と同様の図である。
【００５４】
ＳＡＷ装置８０１は、紙面右側のＩＤＴ８１１Ｃの構成のみが第１の比較例のＳＡＷ装置９０１と相違する。具体的には、境界ＢＤ２において、ＩＤＴ８１１Ｃの電極指１９は２等分されている。すなわち、ＩＤＴ８１１Ｃは、位置Ｃ１において、交差範囲Ｒ１の中央（Ｌ３）まで延び、先端が互いに対向する信号電極指１９Ｓおよび接地電極指１９Ｇを有している。
【００５５】
下段のグラフにおいて、紙面左側（位置Ａ５〜Ｂ３）の範囲については、表示方法およびその内容は、図２と同様である。紙面右側（位置Ｂ７〜Ｃ３）の範囲については、振幅は、交差範囲Ｒ１（図２）を２分割した分割トラックＴＲ１およびＴＲ２毎に示されている。
【００５６】
分割トラックＴＲ２においては、ＩＤＴ９１１ＢとＩＤＴ８１１Ｃとの電極指１９の位置関係は、交差幅が半分になっていることを除いて、図２のＩＤＴ９１１ＢとＩＤＴ９１１Ｃとの電極指１９の位置関係と同様である。従って、位置Ｂ７〜Ｃ３までの範囲かつ分割トラックＴＲ２の振動分布のグラフは、図２の位置Ｂ７〜Ｃ３までの範囲の振動分布のグラフにおいて振幅を半分としたものとなっている。
【００５７】
分割トラックＴＲ１の領域Ｒ５においては、ＩＤＴ９１１Ｂの信号電極指１９Ｓ（Ｂ９）と、ＩＤＴ８１１Ｃの信号電極指１９Ｓ（Ｃ３）とが、２本の接地電極指１９Ｇ（Ｃ１、Ｃ２）を挟んで交差している。すなわち、境界ＢＤ１または分割トラックＴＲ２における境界ＢＤ２よりも信号電極指１９Ｓ間の接地電極指１９Ｇの数が多い。従って、位置Ｂ９および位置Ｃ３における振幅は、位置Ａ７および位置Ｂ１における振幅の半分よりも小さい、または、分割トラックＴＲ２の位置Ｂ９および位置Ｃ１における振幅よりも小さい。その他の位置についても同様である。
【００５８】
従って、位置Ｂ１およびＢ３においてハッチングして示した面積と、位置Ｃ１およびＣ３においてハッチングして示した面積の、分割トラックＴＲ１およびＴＲ２の合計との差は、図２の場合に比較して縮小される。その結果、出力端子９Ａおよび９Ｂに出力される平衡信号の平衡度が改善される。
【００５９】
ただし、境界ＢＤ１側においては、ＩＤＴ１１Ｂの振動分布とＩＤＴ１１Ａの振動分布とが対称であるのに対し、境界ＢＤ２側においては、分割トラックＴＲ１において、ＩＤＴ１１Ｂの振動分布と、ＩＤＴ１１Ｃの振動分布とが非対称である。従って、当該非対称性に起因する平衡度の低下が生じる。
【００６０】
図４は、本実施形態に係るＳＡＷ装置１の平衡度を説明する、図２と同様の図である。
【００６１】
下段のグラフにおいて、紙面左側（位置Ａ５〜Ｂ３）の範囲については、表示方法およびその内容は、図２および図３と同様である。紙面右側（位置Ｂ７〜Ｃ３）の範囲については、振幅は、交差範囲Ｒ１（図２）を１：２：１で分割した分割トラックＴＲ３〜ＴＲ５毎に示されている。
【００６２】
分割トラックＴＲ４においては、ＩＤＴ１１ＢとＩＤＴ１１Ｃとの電極指１９の位置関係は、交差位置が交差範囲Ｒ１の中央になっていることを除いて、図３の分割トラックＴＲ２におけるＩＤＴ９１１ＢとＩＤＴ８１１Ｃとの電極指１９の位置関係と同様である。従って、位置Ｂ７〜Ｃ３までの範囲かつ分割トラックＴＲ４の振動分布のグラフは、図３の位置Ｂ７〜Ｃ３までの範囲かつ分割トラックＴＲ２の振動分布のグラフと同様である。
【００６３】
分割トラックＴＲ３においては、ＩＤＴ１１ＢとＩＤＴ１１Ｃとの電極指１９の位置関係は、交差幅が半分になっていることを除いて、図２の分割トラックＴＲ１におけるＩＤＴ９１１ＢとＩＤＴ８１１Ｃとの電極指１９の位置関係と同様である。従って、位置Ｂ７〜Ｃ３までの範囲かつ分割トラックＴＲ３の振動分布のグラフは、図２の位置Ｂ７〜Ｃ３までの範囲かつ分割トラックＴＲ１の振動分布のグラフにおいて振幅を半分としたものとなっている。
【００６４】
分割トラックＴＲ５においては、ＩＤＴ１１ＢとＩＤＴ１１Ｃとの電極指１９の位置関係は、分割トラックＴＲ３におけるＩＤＴ１１ＢとＩＤＴ１１Ｃとの電極指１９の位置関係と対称の関係となっている。従って、位置Ｂ７〜Ｃ３までの範囲かつ分割トラックＴＲ５の振動分布のグラフは、位置Ｂ７〜Ｃ３までの範囲かつ分割トラックＴＲ３の振動分布のグラフを、ＩＤＴ１１ＢとＩＤＴ１１Ｃとの境界線に対して左右反転したものとなっている。
【００６５】
従って、位置Ｂ１およびＢ３においてハッチングして示した面積と、位置Ｃ１およびＣ３においてハッチングして示した面積の、分割トラックＴＲ３〜ＴＲ５の合計との差は、図３の場合と同様に、図２の場合に比較して縮小される。その結果、出力端子９Ａおよび９Ｂに出力される平衡信号の平衡度が改善される。
【００６６】
さらに、位置Ｂ７およびＢ９においてハッチングして示した面積の合計と、位置Ｃ１およびＣ３においてハッチングして示した面積の合計とは同等となる。従って、ＩＤＴ１１Ｂ側とＩＤＴ１１Ｃ側との振動分布の非対称性に起因して生じる平衡度の低下が抑制される。
【００６７】
なお、この非対称性の緩和の効果は、境界ＢＤ２の接地電極指１９Ｇ（Ｂ９、Ｃ１）が設けられていない場合（この場合も本願発明に含まれる。）においても得られる。また、振幅について説明したが、出力端子９に出力される信号の位相についても同様の効果が得られると考えられる。
【００６８】
以上の第１の実施形態によれば、ＳＡＷ装置１は、不平衡信号が入力されるＩＤＴ１１Ｂと、ＩＤＴ１１Ｂに対してＳＡＷの伝搬方向Ｄ１において隣接し、平衡信号の一方を出力するＩＤＴ１１Ａと、ＩＤＴ１１Ｂに対して伝搬方向Ｄ１において隣接し、平衡信号の他方を出力するＩＤＴ１１Ｃとを有する。各ＩＤＴ１１は、不平衡信号が入力されまたは平衡信号を出力する複数の信号電極指１９Ｓと、接地された複数の接地電極指１９Ｇとを有する。各ＩＤＴの伝搬方向Ｄ１の中央側においては、複数の信号電極指１９Ｓと複数の接地電極指１９Ｇとが所定の交差幅で交差する。ＩＤＴ１１ＢとＩＤＴ１１Ａとの境界ＢＤ１においては、ＩＤＴ１１Ｂの信号電極指１９Ｓ（Ｂ１）とＩＤＴ１１Ａの信号電極指１９Ｓ（Ａ７）とが、所定数（１本）の接地電極指１９Ｇ（Ａ８）を挟んで、交差幅ｄ１の交差範囲Ｒ１に亘って併設されている。ＩＤＴ１１ＢとＩＤＴ１１Ｃとの境界ＢＤ２においては、ＩＤＴ１１ＢおよびＩＤＴ１１Ｃの信号電極指１９Ｓ（Ｂ９、Ｃ１）が、交差範囲Ｒ１の中央（Ｌ３）を越える中途位置（Ｌ４またはＬ２）まで延びる長さとされており、接地電極指１９Ｇを挟まずに、交差範囲Ｒ１の中央側の一部の範囲（Ｒ２）のみにおいて交差している。
【００６９】
従って、信号電極指１９Ｓ間の接地電極指１９Ｇの本数が相対的に少ない境界ＢＤ２において、信号電極指１９Ｓ（Ｂ９、Ｃ１）の長さが短くされることになり、境界ＢＤ１と境界ＢＤ２との間の結合の非対称性が緩和され、平衡度が向上する。また、信号電極指１９Ｓ（Ｂ９、Ｃ１）が交差範囲Ｒ１の中央側（ＴＲ４）において交差することにより、ＩＤＴ１１Ｂ側とＩＤＴ１１Ｃ側との振動分布の非対称性も緩和され、平衡度が更に向上する。
【００７０】
ＩＤＴ１１Ｂは、交差範囲Ｒ１の中央（Ｌ３）よりも手前の中途位置（Ｌ４）まで延び、先端が位置Ｂ９の信号電極指１９Ｓの先端と対向する接地電極指１９Ｇ（Ｂ９）を有する。ＩＤＴ１１Ｃは、交差範囲Ｒ１の中央よりも手前の中途位置（Ｌ２）まで延び、先端が位置Ｃ１の信号電極指１９Ｓの先端と対向する接地電極指１９Ｇ（Ｃ１）を有する。
【００７１】
従って、境界ＢＤ２においては、境界ＢＤ１よりも接地電極指１９Ｇの数が少ない結合（ＴＲ４）と、当該結合よりも接地電極指１９Ｇの数が２本多い結合（ＴＲ３、ＴＲ５）とが組み合わされる。その結果、境界ＢＤ２における結合の強さの調整の自由度が向上し、境界ＢＤ１と境界ＢＤ２との結合を対称にすることが容易化される。さらに、信号電極指１９Ｓと接地バスバー１７Ｇとの隙間からのＳＡＷの漏れ等を抑制できる。
【００７２】
位置Ｂ９および位置Ｃ１の信号電極指１９Ｓは交差範囲Ｒ１内の長さが互いに同等であり、位置Ｂ９および位置Ｃ１の接地電極指１９Ｇは交差範囲Ｒ１内の長さが互いに同等である。従って、ＩＤＴ１１Ｂ側とＩＤＴ１１Ｃ側との振動分布の対称性が確保されることが期待される。
【００７３】
境界ＢＤ１における接地電極指１９Ｇの数は、位置Ｂ９および位置Ｃ１の信号電極指１９Ｓ間の接地電極指１９Ｇの数（０本）よりも１本多い。また、位置Ｂ９および位置Ｃ１の信号電極指１９Ｓの交差範囲Ｒ１内の長さと、位置Ｂ９および位置Ｃ１の接地電極指１９Ｇの交差範囲Ｒ１内の長さとの比が３：１である。
【００７４】
換言すれば、境界ＢＤ１においては、接地電極指１９Ｇを１本挟む結合が交差幅ｄ１に亘ってなされ、境界ＢＤ２側においては、接地電極指１９Ｇを挟まない結合（領域Ｒ２）と、接地電極指１９Ｇを２本挟む結合（領域Ｒ３およびＲ４）とが、それぞれの交差幅ｄ１の半分で行われる。従って、信号電極指１９Ｓ間の接地電極指１９Ｇの本数は、境界ＢＤ１においては１本、境界ＢＤ２側においては、０本×０．５本＋２本×０．５本＝１本となる。その結果、境界ＢＤ１と境界ＢＤ２との間の対称性が確保されることが期待される。
【００７５】
ＩＤＴ１１ＡおよびＩＤＴ１１Ｃは、信号電極指１９Ｓおよび接地電極指１９Ｇの配置位置（Ａ１〜Ａ８、Ｃ１〜Ｃ８）の数が互いに等しい。ＩＤＴ１１Ａは、ＩＤＴ１１Ｂとは反対側において、位置Ｃ１の信号電極指１９Ｓと交差範囲Ｒ１内の長さが等しい信号電極指１９Ｓ（Ａ１）と、位置Ｃ１の接地電極指１９Ｇと交差範囲Ｒ１内の長さが等しく、先端が位置Ａ１の信号電極指１９Ｓの先端と対向する接地電極指１９Ｇ（Ａ１）とを有する。
【００７６】
従って、ＩＤＴ１１Ｃにおいて、位置Ｃ１の電極指１９が分離されたことによる、ＩＤＴ１１ＡとＩＤＴ１１Ｃとの間の容量の差が緩和される。その結果、一層の平衡度の向上が期待される。
【００７７】
なお、以上の第１の実施形態において、ＳＡＷ装置１は本発明の弾性波装置の一例であり、ＩＤＴ１１Ｂは本発明の入力ＩＤＴの一例であり、ＩＤＴ１１Ａは本発明の第１出力ＩＤＴの一例であり、ＩＤＴ１１Ｃは本発明の第２出力ＩＤＴの一例であり、位置Ｂ９の信号電極指１９Ｓは本発明の第１長さ電極指の一例であり、位置Ｃ１の信号電極指１９Ｓは本発明の第２長さ電極指の一例であり、位置Ｂ９の接地電極指１９Ｇは本発明の第３長さ電極指の一例であり、位置Ｃ１の接地電極指１９Ｇは本発明の第４長さ電極指の一例であり、位置Ａ１の信号電極指１９Ｓは本発明の第５長さ電極指の一例であり、位置Ａ１の接地電極指１９Ｇは本発明の第６長さ電極指の一例であり、境界ＢＤ１は本発明の第１境界の一例であり、境界ＢＤ２は本発明の第２境界の一例である。
【００７８】
＜第２の実施形態＞
図５は、本発明の第２の実施形態に係るＳＡＷ装置１０１を示す平面図である。
【００７９】
ＳＡＷ装置１０１のＳＡＷ素子１０７は、第１段のＳＡＷ素子１０８Ａと、当該ＳＡＷ素子１０８Ａに接続された第２段のＳＡＷ素子１０８Ｂとを有している。
【００８０】
第１段のＳＡＷ素子１０８Ａは、入力端子５から不平衡信号が入力され、当該信号をフィルタリングするとともに平衡信号に変換して出力する。ＳＡＷ素子１０８Ａは、例えば、第１の実施形態のＳＡＷ素子７と同様の構成となっている。
【００８１】
第２段のＳＡＷ素子１０８Ｂは、第１段のＳＡＷ素子１０８Ａから平衡信号が入力され、当該信号をフィルタリングし、出力端子９Ａおよび９Ｂに平衡信号を出力する。ＳＡＷ素子１０８Ｂは、ＳＡＷ素子１０８Ａと同様に、縦結合ダブルモード型ＳＡＷフィルタによって構成されている。
【００８２】
より具体的には、第２段のＳＡＷ素子１０８Ｂは、伝搬方向Ｄ１に配列された４つのＩＤＴ１１Ｄ〜１１Ｇを有している。ＩＤＴ１１Ｄおよび１１Ｇは、ＩＤＴ１１Ａおよび１１Ｃから平衡信号が入力される。ＩＤＴ１１ＥおよびＩＤＴ１１Ｆは、平衡信号を出力端子９に出力する。なお、ＩＤＴ１１Ｅおよび１１Ｆは、接地バスバー１７Ｇが共通化されており、電位の安定が図られている。
【００８３】
以上の第２の実施形態によれば、第１段のＳＡＷ素子１０８Ａは、第１の実施形態のＳＡＷ素子７と同様の構成とされていることから、第１の実施形態と同様に、平衡度の向上の効果が得られる。また、第１段のＳＡＷ素子１０８Ａと第２段のＳＡＷ素子１０８Ｂとが接続されていることにより、フィルタ特性の向上が期待される。
【００８４】
＜第３の実施形態＞
図６は、本発明の第３の実施形態に係るＳＡＷ装置２０１を示す平面図である。
【００８５】
ＳＡＷ装置２０１は、第１の実施形態のＳＡＷ装置１と同様に、縦結合ダブルモード型ＳＡＷフィルタによって構成されたＳＡＷ素子２０７を有している。ＳＡＷ素子２０７は、ＳＡＷ素子７と同様に、入力された不平衡信号をフィルタリングするとともに平衡信号に変換する。ただし、ＳＡＷ素子７は３ＩＤＴ型であったのに対し、ＳＡＷ素子２０７は６ＩＤＴ型となっている。
【００８６】
具体的には、ＳＡＷ素子２０７は、伝搬方向Ｄ１に配列された６つのＩＤＴ２１１Ａ〜ＩＤＴ２１１Ｆを有している。ＩＤＴ２１１Ｂおよび２１１Ｅは、入力端子５から不平衡信号が入力される。ＩＤＴ２１１Ａおよび２１１Ｃは、出力端子９Ａに不平衡信号の一方を出力する。ＩＤＴ２１１Ｄおよび２１１Ｆは、出力端子９Ｂに不平衡信号の他方を出力する。なお、ＩＤＴ２１１Ｃおよび２１１Ｄは、接地バスバー１７Ｇが共通化されている。
【００８７】
ＩＤＴ２１１ＥとＩＤＴ２１１Ｄとの結合関係、および、ＩＤＴ２１１ＥとＩＤＴ２１１Ｆとの結合関係は、第１の実施形態におけるＩＤＴ１１ＢとＩＤＴ１１Ａとの結合関係と同様である。すなわち、ＩＤＴ２１１ＥとＩＤＴ２１１Ｄとの境界、および、ＩＤＴ２１１ＥとＩＤＴ２１１Ｆとの境界においては、信号電極指１９Ｓが、１本の接地電極指１９Ｇを挟んで、交差範囲Ｒ１（図１参照）に亘って交差している。
【００８８】
一方、ＩＤＴ２１１ＢとＩＤＴ２１１Ａとの結合関係、および、ＩＤＴ２１１ＢとＩＤＴ２１１Ｃとの結合関係は、第１の実施形態におけるＩＤＴ１１ＢとＩＤＴ１１Ｃとの結合関係と同様である。すなわち、ＩＤＴ２１１ＢとＩＤＴ２１１Ａとの境界、および、ＩＤＴ２１１ＢとＩＤＴ２１１Ｃとの境界においては、信号電極指１９Ｓが、接地電極指１９Ｇを挟まずに、交差範囲Ｒ１（図１参照）の中央側の領域Ｒ２（図１参照）のみにおいて交差している。また、当該信号電極指１９Ｓと先端同士を対向させる接地電極指１９Ｇも設けられている。
【００８９】
なお、ＩＤＴ２１１Ａおよび２１１Ｃの、ＩＤＴ２１１Ｂとの境界とは反対側においては、第１の実施形態の位置Ａ１のように、電極指１９は分離されていない。ただし、第１の実施形態の位置Ａ１と同様に、電極指１９が分離されていてもよい。
【００９０】
以上の第３の実施形態によれば、ＳＡＷ装置２０１は、不平衡信号が入力されるＩＤＴ２１１と、平衡信号を出力するＩＤＴ２１１との電極指の位置関係が、第１の実施形態の位置関係と同様とされていることから、第１の実施形態と同様に、平衡度の向上の効果が得られる。
【００９１】
また、ＳＡＷ装置２０１は、不平衡信号が入力されるＩＤＴ２１１と、平衡信号を出力するＩＤＴ２１１との境界を複数有し、その全てにおいて、第１の実施形態の境界における電極指の位置関係と同様の位置関係が設定されていることから、一部の境界においてのみ第１の実施形態の位置関係が設定されている場合（この場合も本願発明に含まれる）に比較して、平衡度の向上が期待される。
【００９２】
本発明は、以上の実施形態に限定されず、種々の態様で実施されてよい。
【００９３】
弾性波装置は、ＳＡＷ装置に限定されない。例えば、弾性波装置は、弾性境界波装置（広義のＳＡＷ装置に含まれる）であってもよい。
【００９４】
第２の実施形態において例示したように、複数のＩＤＴがＳＡＷの伝搬方向に配列された縦結合型のＳＡＷ素子は、入力側もしくは出力側に、共振子もしくは他のフィルタが接続されていてもよい。また、入力側（５）と出力側（９）とは、ＳＡＷ素子を挟んで反対側とされず、伝搬方向に直交する方向（Ｄ２）の同一側とされてもよい。逆に、２つの出力側（９Ａ、９Ｂ）は、ＳＡＷ素子を挟んで反対側とされてもよい。
【００９５】
第３の実施形態において例示したように、ＳＡＷの伝搬方向に配列されるＩＤＴの数は、適宜に設定されてよい。例えば、ＳＡＷ素子は、不平衡信号が入力される２つのＩＤＴと、平衡信号を出力する２つのＩＤＴを有する４ＩＤＴ型であってもよいし、不平衡信号が入力される３つのＩＤＴと、平衡信号を出力する２つのＩＤＴを有する５ＩＤＴ型であってもよいし、不平衡信号が入力される３つのＩＤＴと、平衡信号を出力する４つのＩＤＴを有する７ＩＤＴ型であってもよい。
【００９６】
入力ＩＤＴ（１１Ｂ）と第１出力ＩＤＴ（１１Ａ）との境界（ＢＤ１）において信号電極指に挟まれる接地電極指の数と、入力ＩＤＴ（１１Ｂ）と第２出力ＩＤＴ（１１Ｃ）との境界（ＢＤ２）において信号電極指に挟まれる接地電極指の数との組み合わせは、１本および０本に限定されない。本数差は１本に限定されないし、奇数本が偶数本よりも大きくなくてもよい。例えば、３本および２本でもよいし、２本および１本でもよいし、３本および０本でもよい。接地電極指は、入力ＩＤＴおよび出力ＩＤＴのいずれに設けられていてもよいし、双方に設けられていてもよい。入力ＩＤＴと第１出力ＩＤＴとの境界における２つの信号電極指は互いに同一の方向に延びていてもよい。
【００９７】
第１長さ電極指（１９Ｓ、Ｂ９）および第２長さ電極指（１９Ｓ、Ｃ１）の長さは、互いに異なっていてもよいし、また、これらの交差幅は、他の大多数の電極指の交差幅（ｄ１）の１／２に限定されない。これら電極指の長さは、結合の対称性が確保されるように、適宜に設定されてよい。これら電極指と対向する第３長さ電極指（１９Ｇ、Ｂ９）および第４長さ電極指（１９Ｇ、Ｃ１）についても同様である。
【００９８】
理論的には、実施形態のように、第１長さ電極指および第２長さ電極指の交差幅（ｄ２）は、大多数の電極指の交差幅（ｄ１）の１／２が好ましく、また、第３長さ電極指および第４長さ電極指の交差幅（ｄ３、ｄ４）は、それぞれ、大多数の電極指の交差幅（ｄ１）の１／４が好ましい。しかし、実際の製品においては、種々の事情を考慮した微調整がなされたほうが、平衡度が向上することがある。このような微調整は、例えば、大多数の電極指の交差幅（ｄ１）の１／８程度の長さ以内で行われる。従って、第１長さ電極指および第２長さ電極指の交差幅（ｄ２）は、大多数の電極指の交差幅（ｄ１）の３／８〜５／８の範囲内であることが好ましい。また、第３長さ電極指および第４長さ電極指の交差幅（ｄ３、ｄ４）も、これと対応する範囲（５／１６〜３／１６）内であることが好ましい。なお、弾性波の半波長の相違が本願においては無視されて言及されることは、実施形態において述べたとおりである。
【００９９】
第５長さ電極指（１９Ｓ、Ａ１）および第６長さ電極指（１９Ｇ、Ａ１）は、設けられなくてもよい。また、これらの電極指が設けられる位置は、最外電極指位置に限定されない。入力ＩＤＴ（１１Ｂ）と第１出力ＩＤＴ（１１Ａ）との境界からある程度離れ、当該境界における結合に及ぼす影響がある程度低い位置であればよい。例えば、第１出力ＩＤＴ（１１Ａ）の、入力ＩＤＴ（１１Ｂ）とは（伝搬方向の中央よりも）反対側であればよい。
【０１００】
ＩＤＴには、バスバーから交差範囲（Ｒ１）に到達しない長さで突出するダミー電極指が設けられてもよい。第３長さ電極指および第４長さ電極指に代えて、電気的に浮遊状態（信号線に接続されず、接地もされない）の電極指が配置されてもよい。伝搬方向に配列されたバスバー間には、電気的に浮遊状態のダミーバスバーが設けられてもよい。交差範囲Ｒ１とバスバーとの隙間は、接地側と信号側とで同一でなくてもよい。
【符号の説明】
【０１０１】
１…ＳＡＷ装置、１１Ａ…ＩＤＴ（第１出力ＩＤＴ）、１１Ｂ…ＩＤＴ（入力ＩＤＴ）、１１Ｃ…ＩＤＴ（第２出力ＩＤＴ）、１９Ｓ…信号電極指、１９Ｇ…接地電極指、ｄ１…交差幅、Ｄ１…伝搬方向。
【図１】
0005662130.tif 000002
【図２】
0005662130.tif 000003
【図３】
0005662130.tif 000004
【図４】
0005662130.tif 000005
【図５】
0005662130.tif 000006
【図６】
0005662130.tif 000007